(57)【要約】【課題】容易に新品に交換することができる交換式化粧コンパクトケース構造を提供する。【解決手段】交換式化粧コンパクトケース構造は、ケース本体１、蓋体２、弾性部材３及びメークアップ・パレット４を備える。ケース本体１は、一端に枢着部１１が設けられ、他端に遮蔽片１２が設けられる。遮蔽片１２の下には、遮蔽空間１３が設けられ、遮蔽空間１３に隣り合うように開放空間１４が設けられる。蓋体２の一端には、ケース本体１の枢着部１１に対応した箇所に、枢着可能な枢設部２１が設けられる。蓋体２は、開放空間１４を覆って遮蔽する。弾性部材３は、遮蔽空間１３内に対応して配設される。メークアップ・パレット４は、開放空間１４内に対応して配設されるとともに、一端が弾性部材３に当接され、他端が枢着部１１及び枢設部２１により位置決めされる。【選択図】図１
0003229742.tif 000002
【実用新案登録請求の範囲】
【請求項１】
ケース本体、蓋体、弾性部材及びメークアップ・パレットを備えた、交換式化粧コンパクトケース構造であって、
前記ケース本体は、一端に枢着部が設けられ、他端に遮蔽片が設けられ、前記遮蔽片の下には、遮蔽空間が設けられ、前記遮蔽空間に隣り合うように開放空間が設けられ、
前記蓋体の一端には、前記ケース本体の前記枢着部に対応した箇所に、枢着可能な枢設部が設けられ、前記蓋体は、前記開放空間を覆って遮蔽し、
前記弾性部材は、前記遮蔽空間内に対応して配設され、
前記メークアップ・パレットは、前記開放空間内に対応して配設されるとともに、一端が前記弾性部材に当接され、他端が前記枢着部及び前記枢設部により位置決めされることを特徴とする、
交換式化粧コンパクトケース構造。
【請求項２】
前記弾性部材は、弾力当接部を有し、前記弾力当接部は、前記メークアップ・パレットにより圧縮されるか、前記メークアップ・パレットを跳ね出させることを特徴とする請求項１に記載の交換式化粧コンパクトケース構造。
【請求項３】
前記メークアップ・パレットの一端には、前記枢着部及び前記枢設部に対応した箇所に凹溝が設けられ、前記凹溝により使用者が容易に前記メークアップ・パレットを取出し得ることを特徴とする請求項１に記載の交換式化粧コンパクトケース構造。
【考案の詳細な説明】
【技術分野】
【０００１】
本考案は、交換式化粧コンパクトケース構造に関し、特に、容易に新品に交換することができる交換式化粧コンパクトケース構造に関する。
【背景技術】
【０００２】
おしゃれをすることは人間の本能であり、現代人の生活が徐々に向上するに伴い、外出、通勤又は大切なイベントに参加する際、自身の服装を慎重に選ぶ必要がある。また、頭部及び顔をきれいに整えることも非常に重要であるが、これは化粧品を使用すると容易に達成することができる。そのため、見た目を重視する現代人にとって、化粧品は既に生活に必要不可欠なものとなっている。
【０００３】
一般によく見かける化粧品は、ファンデーション類及び化粧類を有する。ファンデーション類は、ファンデーション、パウダーファンデーション、フェイスパウダー、ラメ、コンシーラーなどを含む。化粧類は、アイブロウ、アイシャドウ、チーク、リップスティックなどを含む。前述した化粧品は、１つの化粧品容器に収容されることが一般的であり、化粧品容器の中には、複数の収容空間が画定され、異なる色又はシリーズの化粧品を対応して収容する。しかし、化粧品を使い果たした後、化粧品容器を直ちに廃棄するため、１回しか使用できない。そのため、ゴミの増加により環境が汚染され、購入コストが増大した。
【０００４】
例えば、特許文献１の化粧品容器は、ケースと、１つのリフィルと、少なくとも１つの係合ユニットと、を含む。ケースは、底壁と、底壁から上方へ延びて間隔をあけて互いに対向した１つの第１の係合壁及び１つの第２の係合壁と、底壁、第１の係合壁及び第２の係合壁を組み合わして画成した収容空間と、を含む。リフィルは、ケースの収容空間内に着脱可能に取付けられ、互いに間隔をおいて対向した第１の係合壁に隣接した第１の側面と、第２の係合壁に隣接した第２の側面と、を含む。係合ユニットは、リフィルをケース内に着脱可能に係合位置決めさせるとともに、リフィルの第１の側面に凹設された第１の係合溝と、リフィルの第２の側面に凹設された第２の係合溝と、ケースの第１の係合壁に設置されるとともに、第１の係合溝に分離可能に弾性係合されたフックと、ケースの第２の係合壁に設置されるとともに、第２の係合溝に分離可能に係合されたバンプと、を含む。
【０００５】
また、例えば、特許文献２の化粧品容器は、１つのケースユニットと、１つの型ブロックユニットと、少なくとも１つの係合ユニットと、を含む。ケースユニットは、底壁を有し、底壁は、頂底貫通の収容槽を包囲画成する画成部を有する。型ブロックユニットは、ケースユニットの底壁に着脱可能に取付けられるとともに、画成部の頂側に隣接するように設置され、上方開口のリフィルと、リフィルの底部から下方へ延び、収容溝に対応して嵌入させる嵌合ブロックを含む。係合ユニットは、型ブロックユニットを底壁上に着脱可能に係合位置決めさせるとともに、画成部及び嵌合ブロックのうちの一方の上に形成された係合溝と、画成部及び嵌合ブロックのうちの他方の上に設けられるとともに、係合溝に着脱可能に係合するフックと、を含む。
【０００６】
上述した前者の構造は、ケース内のフック（係合部）をリフィルの第１の係合溝に対応して係合し、複数回使用するか不注意により大きすぎる力で取り外したときにフック（係合部）が容易に断裂してしまう問題点があった。後者の構造は、型ブロックユニットの嵌合ブロックをケースユニットの収容溝に対応して嵌入させて密着させるため、交換過程において、型ブロックを取出すことが容易でないため、上述した化粧品容器の設計は改善が求められていた。
【０００７】
こうした現状に鑑み、本考案者は鋭意研究を重ねた結果、本考案の交換式化粧コンパクトケース構造を完成したものである。
【先行技術文献】
【特許文献】
【０００８】
【特許文献１】台湾実用新案公告第Ｍ４４９５１１号公報
【特許文献２】台湾実用新案公告第Ｍ４４６５４１号公報
【考案の概要】
【考案が解決しようとする課題】
【０００９】
本考案の主な目的は、容易に新品に交換することができる交換式化粧コンパクトケース構造を提供することにある。
【課題を解決するための手段】
【００１０】
上記課題を解決するために、本考案の第１の形態によれば、ケース本体、蓋体、弾性部材及びメークアップ・パレットを備えた交換式化粧コンパクトケース構造であって、前記ケース本体は、一端に枢着部が設けられ、他端に遮蔽片が設けられ、前記遮蔽片下には、遮蔽空間が設けられ、前記遮蔽空間に隣り合うように開放空間が設けられ、前記蓋体の一端には、前記ケース本体の前記枢着部に対応した箇所に、枢着可能な枢設部が設けられ、前記蓋体は、前記開放空間を覆って遮蔽し、前記弾性部材は、前記遮蔽空間内に対応して配設され、前記メークアップ・パレットは、前記開放空間内に対応して配設されるとともに、一端が前記弾性部材に当接され、他端が前記枢着部及び前記枢設部により位置決めされることを特徴とする、交換式化粧コンパクトケース構造を提供する。
【００１１】
前記弾性部材は、弾力当接部を有し、前記弾力当接部は、前記メークアップ・パレットにより圧縮されるか、前記メークアップ・パレットを跳ね出させることが好ましい。
【００１２】
前記メークアップ・パレットの一端には、前記枢着部及び前記枢設部に対応した箇所に凹溝が設けられ、前記凹溝により使用者が容易に前記メークアップ・パレットを取出し得ることが好ましい。
【考案の効果】
【００１３】
本考案の交換式化粧コンパクトケース構造は、ケース本体を含み、上述したケース本体には、蓋体が枢着されるとともに、上述したケース本体内には、遮蔽空間と、メークアップ・パレットを配設する開放空間と、が設けられる。上述した遮蔽空間内には、弾性部材が設けられる。メークアップ・パレットは、上述した弾性部材の付勢力により跳ね出させて交換することができ、使用者が実際に使用するとき、使い果たしたメークアップ・パレットを容易に交換することができ、コストを節約し、使用し易く、環境を保護することができる。
本考案の交換式化粧コンパクトケース構造は、弾性部材が弾力当接部を有し、上述した弾力当接部がメークアップ・パレットにより圧縮されるか、メークアップ・パレットを付勢力により跳ね出させることができ、上述した弾性部材は多種類の造形変化を有する。
【図面の簡単な説明】
【００１４】
【図１】本考案の一実施形態に係る交換式化粧コンパクトケース構造を示す分解斜視図である。
【図２】本考案の一実施形態に係る交換式化粧コンパクトケース構造を示す組立斜視図である。
【図３】本考案の一実施形態に係る交換式化粧コンパクトケース構造を示す組立上視図である。
【図４】本考案の一実施形態に係る交換式化粧コンパクトケース構造を示す組立断面図である。
【図５】本考案の一実施形態に係る交換式化粧コンパクトケース構造の押下動作を示す上視図である。
【図６】本考案の一実施形態に係る交換式化粧コンパクトケース構造からメークアップ・パレットを取出すときの状態を示す断面図である。
【図７】本考案の一実施形態に係る交換式化粧コンパクトケース構造の弾性部材を示す上視図（１）である。
【図８】本考案の一実施形態に係る交換式化粧コンパクトケース構造の弾性部材を示す上視図（２）である。
【考案を実施するための形態】
【００１５】
本考案の技術手段及びそれにより達成可能な効果を、より完全かつ明白に開示するために、開示した添付の図面及び符号と併せて本考案を以下に詳説する。
【００１６】
まず、図１〜図３を参照する。図１は、本考案の一実施形態に係る交換式化粧コンパクトケース構造を示す分解斜視図である。図２は、本考案の一実施形態に係る交換式化粧コンパクトケース構造を示す組立斜視図である。図３は、本考案の一実施形態に係る交換式化粧コンパクトケース構造を示す組立上視図である。
図１〜図３に示すように、本考案の一実施形態に係る交換式化粧コンパクトケース構造は、少なくともケース本体１、蓋体２、弾性部材３及びメークアップ・パレット（ｍａｋｅｕｐ  ｐａｌｅｔｔｅ）４から構成されてなる。
【００１７】
ケース本体１は、一端に枢着部１１が設けられ、他端に遮蔽片１２が設けられる。遮蔽片１２下には、遮蔽空間１３が設けられ、上述した遮蔽空間１３に隣り合うように開放空間１４が設けられる。
【００１８】
蓋体２には、上述したケース本体１の枢着部１１に対応した箇所に、枢着可能な枢設部２１が設けられる。上述した蓋体２は、上述した開放空間１４を覆って遮蔽する。
【００１９】
弾性部材３は、上述した遮蔽空間１３内に対応して配設される。
【００２０】
メークアップ・パレット４は、上述した開放空間１４内に対応して配設されるとともに、一端が上述した弾性部材３に当接され、他端が上述した枢着部１１及び上述した枢設部２１により位置決めされる。
【００２１】
図１〜図６を参照する。図１〜図６に示すように、実際に組立てる際、上述したケース本体１の枢着部１１に上述した蓋体２の枢設部２１を枢着し、上述した遮蔽空間１３中に弾性部材３を対応して挿入してから、上述した開放空間１４内にメークアップ・パレット４を挿入する。
上述したメークアップ・パレット４は、複数の区画に区分され、各区画中には、例えば、口紅、アイシャドウパウダー（クリーム）、チークカラーなど、様々なタイプの化粧材料が充填されてもよい。上述したメークアップ・パレット４を上述した開放空間１４に挿入すると、その一端は上述した遮蔽空間１３内の弾性部材３に当接される。また、上述した弾性部材３は、弾力当接部３１を有する。上述した弾力当接部３１は、上述したメークアップ・パレット４の一端に対応して当接される。上述したメークアップ・パレット４の他端は、上述した枢着部１１及び上述した枢設部２１により位置決めされるため、上述したメークアップ・パレット４が上述したケース本体１の開放空間１４内に位置決めされ、落下することを防ぐことができる。
【００２２】
上述したメークアップ・パレット４中の化粧材料を使い果たして新しい物と交換する場合、上述したメークアップ・パレット４を上述した遮蔽空間１３に向かって押圧し、上述したメークアップ・パレット４により上述した弾性部材３の弾力当接部３１を圧縮させると、上述したメークアップ・パレット４が上述した枢着部１１及び上述した枢設部２１により位置決めされなくなり、上述したメークアップ・パレット４を傾けて取出すことができる。ここで、上述したメークアップ・パレット４の一端は、上述した枢着部１１及び上述した枢設部２１に形成された凹溝４１に対応される。
上述した凹溝４１により使用者が上述したメークアップ・パレット４を押圧した後、上述したメークアップ・パレット４を傾けながら引き起こして取出す際、力を容易に加えることができる。これにより、上述した弾力当接部３１を圧縮させた後、付勢力により上述したメークアップ・パレット４を跳ね出させ、メークアップ・パレット４を新しい物とスムーズに交換することができる。
【００２３】
図７及び図８を参照する。上述した弾性部材３には、多種類の態様があり、前述した図１〜図６が示す態様の他、図７及び図８の態様もある。
【００２４】
上述したことから分かるように、本考案の交換式化粧コンパクトケース構造は、従来技術と比べ、以下（１）及び（２）の長所を有する。
（１）弾性当接位置決め及び弾力押出し設計を利用し、メークアップ・パレットにより確実に位置決めして交換過程でも容易に操作することができる。
（２）メークアップ・パレットが交換可能なため、ゴミが発生せず環境汚染を防ぐ。
【符号の説明】
【００２５】
１  ケース本体
２  蓋体
３  弾性部材
４  メークアップ・パレット
１１  枢着部
１２  遮蔽片
１３  遮蔽空間
１４  開放空間
２１  枢設部
３１  弾力当接部
４１  凹溝
【図１】
0003229742.tif 000003
【図２】
0003229742.tif 000004
【図３】
0003229742.tif 000005
【図４】
0003229742.tif 000006
【図５】
0003229742.tif 000007
【図６】
0003229742.tif 000008
【図７】
0003229742.tif 000009
【図８】
0003229742.tif 000010